(57)【要約】      （修正有）【課題】未使用材の廃棄分を転売有効活用の方法を提供する。【解決手段】製造会社が開発、生産調整、変更などで、不必要材（１）が発生すると、該所有会社は、未使用材管理会社である第三社のサーバにインターネット回線によって登録依頼し（２、３、４、５）、この未使用材管理会社は、ＰＲ，ＤＭなどで宣伝し（７）、未使用材の必要会社は、必要材顧客端末を使いインターネット回線で該サーバにアクセスして必要材を検索し（８、９）、該未使用材管理会社に発注する。【選択図】図１
2012059013.tif 000002
【特許請求の範囲】
【請求項１】
コンピューターを使った方法により未使用材を有効利用方法において、未使用材所有会社は、未使用材をインターネット回線によって、未使用材管理会社のサーバに登録するにいたって、未使用材所有会社の会社名、住所、代表者、電話番号、主な製造品目を該サーバに登録すると自動で所有会社の会社登録番号がプログラム設定され同時に返信され、更にパスワードを登録すると、前記の未使用材所有会社の会社登録番号と登録用材料表が表示され、該登録用材料表に未使用材を登録するとプログラムされた材料登録番号が登録未使用材料表に表示され、未使用材管理会社のサーバの未使用材データベースとしてファイルされることを特徴とする未使用材管理方法。
【請求項２】
未使用管理会社のサーバの未使用材のデータベースは、必要材をインターネット回線でリサーチしている第三社が、材質、或は、材料名で検索すると未使用材登録一覧表が表示され、グレード色番などを閲覧しながら要望材料をピックアップしマーキングすると前記の登録材番号と合せて要望材が表示され、確認後注文アイコンをクリックすると注文画面に変わり、要望会社の必要情報を入力欄に入力すると管理会社に注文情報として注文伝票＆配送案内書画面に変り登録材番号で以下処理され、要望会社に選択した未使用材が配送されようプログラムされていることを特徴とした請求項１に記載の未使用材管理方法。
【発明の詳細な説明】
【技術分野】
【０００１】
本発明は、各会社で使用していない新材料、又は、素性の明確な再生材が主として廃棄材として処理されるムダを有効活用する方法に関することである。
【背景技術】
【０００２】
従来より、少量材料での試作製造でも材料メーカーは、試作製造でも材料生産設備の規模の関係で最小生産の注文でも、数十キロ以上となり、試作生産では数キロ使用するだけでほとんど残材になる、その他モデルチェンジ、マイナーチェンジ、仕様変更などにより材料の種類やグレードなどの変更による残材、急激生産による過剰在庫になった材料は、長期保存をすると材料の老朽化や保存スペースなどの関係で廃棄処理とせざるをえない、他の処分方法は、材料の有償スクラップとして処理を依頼するのが通常である。
【０００３】
先行技術としては、被サイクル樹脂の条件情報を記憶するポジティブリストと被リサイクル樹脂の在庫情報を記憶する在庫と、製造される製品の要求条件を指定する製品要求指定手段と、要求条件情報と条件情報と在庫情報から被サイクル樹脂の最適な組合せを出力する手段とを有するものがある。（特許文献１）
【０００４】
又、リサイクル過程において、次に進むべき処理工程を決定するための明確なリサイクルルール（判断基準）を、材料の各処理工程の間に順序立てて設けたリサイクル方法である。（特許文献２）
【先行技術文献】
【特許文献】
【０００５】
【特許文献１】特開２００３−２５０１６号
【特許文献２】特開平７−３０４０４０号
【発明の概要】
【発明が解決しようとする課題】
【０００６】
従来の技術で、（０００２）の前述のように廃棄やスクラップと処理される損失を先行技術のようにリサイクルや被サイクル樹脂の組合せる手段があるが、技術的処理によるコスト高とリードタイムが長くなり、少量必要するにはムダが多く試作生産などでは利益率が低く成ってしまう。また、未使用材の取扱時、リサイクルや被サイクルの組合せ過程での異材混入やゴミ混入防止の管理は、設備の清掃や材料のゴミへの混入防止管理と処理するリードタイム、設備費やスペース、それに関わる諸経費などで結局購入時よりはるかに高い材料になってしまう。
【０００７】
一方では、製品時の損傷状況を確認しリサイクルを進める方法は、未使用材所有会社として手間と時間を費やした割りには、得られる効果は少ないという欠点がある。
【０００８】
しかしながら、リサイクル材は、よほどの信頼性が高くないと未使用材管理会社は、採用はしないとしている。何処の加工会社が、異材混入材や老朽化した材料を使用すると納入した製品に不具合が発見すると、納入した製品を全部回収させられ、また、同材で加工できないので、結局、新規に材料メーカーに注文し、納期など材料メーカーに無理を願って再加工によるペナルティーなどの損害代償の怖さを熟知しているので、リサイクル材には、余程でないと使用は控える。
【０００９】
未使用材を簡単に、同業他社に売買、譲渡は、自社の機密が漏洩し、次には、何処の顧客のどんな仕事を受注予定などの情報が漏洩すると、同業者に足をすくわれる事になった実例も少なくないという難点がある。
【課題を解決するための手段】
【００１０】
コンピューターを使った方法により未使用材を有効利用方法において、未使用材所有会社は、未使用材をインターネット回線によって、未使用材管理会社のサーバに登録するにいたって、未使用材所有会社の会社名、住所、代表者、電話番号、主な製造品目を該サーバに登録すると自動で所有会社の会社登録番号がプログラム設定され同時に返信され、更にパスワードを登録すると、前記の未使用材所有会社の会社登録番号と登録用材料表が表示され、該登録用材料表に未使用材を登録するとプログラムされた材料登録番号が登録未使用材料表に表示され、未使用材管理会社のサーバの未使用材データベースとしてファイルされることを特徴とする未使用材管理方法である。
【００１１】
未使用管理会社のサーバの未使用材のデータベースは、必要材をインターネット回線でリサーチしている第三社が、材質、或は、材料名で検索すると未使用材登録一覧表が表示され、グレード色番などを閲覧しながら要望材料をピックアップしマーキングすると前記の登録材番号と合せて要望材が表示され、確認後注文アイコンをクリックすると注文画面に変わり、要望会社の必要情報を入力欄に入力すると管理会社に注文情報として注文伝票＆配送案内書画面に変り登録材番号で以下処理され、要望会社に選択した未使用材が配送されようプログラムされていることを特徴とした請求項１に記載の未使用材管理方法である。  
【発明の効果】
【００１２】
未使用材を所有している未使用材所有会社の立場から、下記の効果が得られる、
（ア）使用不可となった未使用材を管理会社に登録することにより、自社情報が漏洩することなく有効活用され、廃棄処分材が他社に使用される。
（イ）未使用材の在庫が低減される。
（ウ）廃棄材料が、必要会社の使用によって、お金に変換される。
・  未使用材を置いていたスペースが無くなり、他に活用できる。
・  場所と未使用材のバリエーションの工数が低減される。
・  自他とも何処の会社が所有し、何処の会社が必要として使用したかの両社の機密保持につながる。
【００１３】
未使用材を供給される立場から、下記の効果がえられる。
・  自社で取り扱っていない材料が、必要量インターネットで容易に入手可能である。
・  通常では、材料メーカーに注文すると、リードタイムが早くて１ヵ月から３，４ヶ月かかり、こちらの要望通りの必要量が通常ワンバッチ購入させられる。
・  インターネット回線で簡単に検索可能で、スピーディに入手できる。
・  必要材は、以前の所有会社が不明で、不要な情報が入らず仕事がやりやすい。
・  必要最小ロットで購入できるため、過剰在庫を持つことなく、経費などのムダを押さえることができる。
・  必要最小ロット購入するので、在庫スペースも少なくてすむ。
・  所有会社が廃材として処分しようとした材料なので、非常に安い。
以上の効果が得られ、材料を供給する側も供給を受ける側も、未使用材管理会社を通じて売買されるので、お互いの機密が漏れることがないことは、大きな特徴であり効果でもある。
【図面の簡単な説明】
【００１４】
【図１】未使用材所有会社が未使用材をインターネット回線で未使用材管理会社のサーバへの登録状況と材料必要社が前記サーバ内を検索するまでのフロー図。
【図２】材料必要会社が材料を検索して、要望材料を入手し未使用材所有会社への資金回収までのフロー図。
【図３】（図１）（図２）のフロー図をある程度リアルに表現したフローチャート。
【図４】（図１）（図２）のフロー図をある程度リアルに表現したフローチャート。
【発明を実施するための形態】
【００１５】
本発明を実施するための形態をフローによって説明すると、
未使用材管理会社は、親元会社の生産の流れや開発状況により未使用材所有会社の目安が予測されるので、先ずは、この情報により未使用材を確保する。
【００１６】
未使用材所有会社に未使用材管理会社のサーバにネットワーク回線を利用して会社の社名、住所、通信方法を登録すると、同時に該会社のパスワードを登録すると、該登録会社の登録番号が自動返信され、サーバ上で未使用材の登録から売り上げ回収まで、該登録番号を使用する。
【００１７】
引き続き、未使用材の登録に移行し、材料名、材質、材料番号、グレード、色コード、所有量、希望価格を入力し未使用材の登録を終了すると、登録会社の画面が未使用材管理会社のサーバに材料登録番号が自動設定表示された登録画面が返信され、登録会社が該登録画面を確認し、不具合があれば、訂正し、良好であれば、完了をクリックすると、該管理会社のサーバにデータベースとして保存されるようプログラミングされている。
【００１８】
未使用材所有会社が、新たに、未使用材を登録、或いは、登録済みの材料の修正、補正をするときは、インターネット回線により未使用材管理会社のディスプレーを呼び出し、会社登録番号を入力し材料項目をクリックすると、パスワードを聞いてくるが、パスワードがなければ、或いは相違があると、新規とみなし、（００１６）通りにアクセスすることができるが、次に、パスワードが合致すると登録か修正の選択を求めるので、要望に応じて選択すれば、前記の（００１７）通りアクセスする。
【００１９】
未使用材管理会社のサーバのディスプレーに、未使用材入信号が発しられ、サーバの登録材料が材料別に層別された一覧表が表示され、未使用材管理会社は、同業社にインターネット回路を通じて一斉にＰＲ情報を送信する。
【００２０】
前記送信を受けた会社は、インターネット回路で未使用材管理会社のサーバ画面を開き必要材料を発見されたら、詳細閲覧をクリックすると、サーバ画面は、未使用材登録一覧表の先端欄にチェック欄が設けられ、閲覧しながら必要材を該チェック欄にクリックし必要量や納期を入力して行き終了チェックすると、サーバ画面が未使用材注文伝票に移行する、注文する意向なら、材料必要会社の社名、住所、送信方法をインプットし、完了をクリックすると、注文伝票及び配送案内書の画面に移行し、登録をクリックすると、同画面が控え画面として返信されるようプログラムされている。
【００２１】
要望会社が、新たに材料を検索するには、インターネット回線で未使用材管理会社のディスプレー画面で、材料をクリックすると検索、登録、修正が表示されるが、検索を選択するとサーバ内の前述の必要材料一覧表が表示され、以下（００１８）と同様にアクセスする。
【００２２】
未使用材管理会社は、インターネット回線により、注文を受けた未使用材所有会社に送信し、配送準備を促す。一方、未使用管理会社は、注文した必要会社に、管理会社への請求書を送信し、入金を確認した時点で、未使用材所有会社に配送指示をし、未使用材を発送し、必要会社が確認完了し、管理会社に配送完了の連絡を受け、未使用材所有会社へ売上送金する。
【００２３】
入金伝票情報により、サーバ内の未使用登録材が注文により在庫消化分を自動調整するようプログラムされている。
【００２４】
前記の情報は、材料製造メーカーにも加入呼びかけ、未使用材管理会社へ加入依頼する、なぜなら、必要会社は、小規模会社が多く、材料製造メーカーとの取引は、不可能に近く、また、材料製造メーカーも小規模会社の必要材の情報が入手し難く、試作用材や生産調整材の在庫を所有しているので、該この未使用材をも活用可能の特長を要する。
【符号の説明】
【００２５】
１  未使用材在庫状況
２  未使用材所有会社端末
３  サーバ初期登録画面
４  未使用材登録画面返信（所有社控え用）
５  未使用材登録画面（サーバ内）
６  未使用材所有会社端末
７  同業社一斉ＰＲ送信
８  未使用材登録検索画面
９  必要材顧客端末
１０  注文伝票＆配送案内書画面（サーバ内）
１１  振込み依頼書（書面）
１２  振込み（アクセス）
１３  確認（未使用材管理会社）
１４  発送依頼画面
１５  必要材入荷（アクセス）
１６  確認（必要材会社アクセス）
１７  未使用材所有会社へ売上支払（アクセス）
１８  未使用材在庫調整（サーバ内）
【図１】
2012059013.tif 000003
【図２】
2012059013.tif 000004
【図３】
2012059013.tif 000005
【図４】
2012059013.tif 000006